(57)【要約】【課題】品種切換えが容易であり、且つ樹脂の使用効率が高く、光学特性の優れたレンズを低コストで製作することができるレンズ用成形金型およびプラスチックレンズを提供する。【解決手段】向かい合う２面で光学面２を形成するプラスチックレンズ１を成形するレンズ用成形金型１０は、型開き方向に傾斜を持つ金型案内用斜面１４ａ、２１を有し且つレンズ用離形空間２７でのレンズフランジ部成形面１７、２３を有する固定側金型１１及び可動側金型１２と、型開き方向に対してレンズ用離形空間２７を中心に垂直方向へ摺動可能の一対のスライドコア１４と、一対のスライドコア１４それぞれに保持されて離形空間２７により向かい合う光学面２を成形するための形状部１５と、を備える。【選択図】図７
2008230004.tif 000002
【特許請求の範囲】
【請求項１】
向かい合う２面で光学面を形成するプラスチックレンズを成形するレンズ用成形金型であって、
型開き方向に傾斜を持つ金型案内用斜面を有し且つ前記レンズ用の離形空間でのレンズフランジ部成形面を有する固定側金型及び可動側金型と、
前記固定側金型と可動側金型との型開き方向に対してレンズ用離形空間を中心に垂直方向へ前記金型案内用斜面に案内されて摺動可能の一対のスライドコアと、
前記一対のスライドコアそれぞれに保持されて前記離形空間において前記向かい合う光学面を成形するための形状部と、を備えるレンズ用成形金型。
【請求項２】
前記固定側金型のレンズフランジ部成形面にゲートを有する請求項１記載のレンズ用成形金型。
【請求項３】
前記ゲートがホットランナーである請求項２記載のレンズ用成形金型。
【請求項４】
前記ホットランナーが外部加熱方式である請求項３記載のレンズ用成形金型。
【請求項５】
前記可動側金型のレンズフランジ部成形面の面積が前記固定側金型のレンズフランジ部成形面の面積より大きい請求項１から４のいずれか１項記載のレンズ用成形金型。
【請求項６】
前記可動側金型のレンズフランジ部成形面に少なくとも１つ以上の凹部が備えられ、前記凹部はＰＬ（パーティングライン）面に面し、かつ前記２つのスライドコアとは非接触配置である請求項１〜５のいずれか１項記載のレンズ用成形金型。
【請求項７】
ＰＬ面との接触範囲で前記可動側金型のレンズフランジ部成形面が光軸に略平行で対向する二つの平面部からなる請求項１〜６のいずれか１項記載のレンズ用成形金型。
【請求項８】
前記固定側金型のレンズフランジ部成形面が前記可動側金型のレンズフランジ部成形面の平面部に略平行に繋がる固定側平面部を備える請求項７記載のレンズ用成形金型。
【請求項９】
前記凹部が前記平面部の少なくとも一方にあり、かつ、前記凹部の底面は可動側金型のレンズフランジ部成形面の曲面部を光軸方向から見た際の仮想円より内側に配置される請求項７記載のレンズ用成形金型。
【請求項１０】
前記ゲート部近傍のレンズフランジ部成形面が、前記レンズの光学軸と略平行な平面成形面である請求項２〜１０のいずれか１項記載のレンズ用成形金型。
【請求項１１】
前記ゲートが配置された平面部が、固定側金型のレンズフランジ部成形面の曲面部を光軸方向から見た際の仮想円より内部に配置される請求項１０に記載のレンズ用成形金型。
【請求項１２】
請求項１から１１記載のレンズ用成形金型により成形されるプラスチックレンズであって、
レンズ面周囲に配置されるレンズフランジ部と、
前記レンズフランジ部に１つ以上の凸部と、を有するプラスチックレンズ。
【発明の詳細な説明】
【技術分野】
【０００１】
本発明は、レンズ用成形金型およびプラスチックレンズに関し、より詳細には、カメラ付き携帯電話などのレンズユニットに使用されるレンズを成形するレンズ用成形金型およびプラスチックレンズに関する。
【背景技術】
【０００２】
従来、プラスチックレンズを射出成形する成形金型および成形方法としては、それぞれ光学面形成面を有する固定金型と可動金型とで形成されるキャビティ内に溶融樹脂を供給してプラスチックレンズを成形するようにした射出成形金型ならびに射出成形方法がある（例えば、特許文献１参照。）。
【０００３】
また、ホットランナーのゲート部から供給される溶融樹脂の供給方向を、固定金型と可動金型とで成形されるレンズ部品の光軸と略平行としたレンズ部品製造方法及びその装置並びにレンズ部品が知られている（例えば、特許文献２参照。）。
【０００４】
【特許文献１】特開２００２−２２５０８６号公報
【特許文献２】特開平１０−５８４９６号公報
【発明の開示】
【発明が解決しようとする課題】
【０００５】
特許文献１および特許文献２に開示されているレンズ部品を成形する成形金型は、いずれもレンズ部品の光学面を形成する光学面成形面が成形金型の型開き方向と直角方向に設けられている。カメラ付き携帯電話用レンズユニットなどのように多品種少量のレンズ部品を生産する場合、頻繁に品種切換えが要求されるが、このような成形金型により成形すると品種が切り換えられる都度、成形金型を交換するか、或いは、成形機から成形金型を下ろして入れ子を交換するなどの組換え作業を行った後、再び成形機に取り付け直す必要があり、生産性が低い問題があった。
【０００６】
また、レンズ部品は、高屈折率の高価な樹脂材料により成形され、且つ製品が極めて小型である特徴を有している。従って、特許文献１のようにコールドランナーによりレンズ部品を成形すると、コールドランナーで使用される樹脂量が、製品（レンズ部品）に使用される樹脂量より遥かに多量となる。製品によっては、コールドランナーの樹脂量が使用樹脂量の９５％以上となる場合がある。コールドランナーの樹脂は、一度溶融されているので分子量が小さくなるなど性能が劣化している虞があるため再利用することができず、廃棄せざるを得ず、樹脂の使用効率が悪く、経済的観点からも大きな問題であった。
【０００７】
特許文献２に記載のレンズ部品製造装置は、ホットランナーを用いたものも示されており、ランナーで消費される樹脂量の問題は解消されているものの、樹脂を供給するゲート口をレンズの近傍に配置すると、ゲート部分がレンズ部品の光学面に干渉することが避けられず、レンズ部品の光学特性に悪影響を及ぼす可能性があった。また、ホットランナー射出手段は光学面形状部をもつ金型部品にあまり近づけることができず、このような干渉を避けると光学部品が大型化し、もしくは、光学面形状が大きく制限されるという問題があった。
【０００８】
本発明は、上記事情に鑑みてなされたもので、その目的は、品種切換えが容易であり、樹脂の使用効率が高く、且つ光学特性の優れたレンズを低コストで製作することができるレンズ用成形金型およびプラスチックレンズを提供することにある。
【課題を解決するための手段】
【０００９】
本発明の上記目的は、下記レンズ用成形金型およびプラスチックレンズによって達成される。
（１）  向かい合う２面で光学面を形成するプラスチックレンズを成形するレンズ用成形金型であって、
型開き方向に傾斜を持つ金型案内用斜面を有し且つ前記レンズ用の離形空間でのレンズフランジ部成形面を有する固定側金型及び可動側金型と、
前記固定側金型と可動側金型との型開き方向に対してレンズ用離形空間を中心に垂直方向へ前記金型案内用斜面に案内されて摺動可能の一対のスライドコアと、
前記一対のスライドコアそれぞれに保持されて前記離形空間において前記向かい合う光学面を成形するための形状部と、を備えるレンズ用成形金型。
【００１０】
上記構成のレンズ用成形金型によれば、レンズフランジ部成形面を有する固定側金型及び可動側金型と、一対のスライドコアとを備え、レンズの向かい合う光学面を成形するための形状部を該一対のスライドコアによって保持するようにしたので、レンズ用成形金型を成形機から下ろすことなく、形状部のみを交換するだけで仕様の異なるレンズを成形することができ、レンズの品種交換に容易に対応することができる。これにより、多品種少量のレンズの生産性を大幅に向上させることができる。
【００１１】
（２）  前記固定側金型のレンズフランジ部成形面にゲートを有する上記（１）記載のレンズ用成形金型。
【００１２】
上記構成のレンズ用成形金型によれば、固定側金型のフランジ部成形面にゲートを有するので、溶融樹脂をレンズの光学面以外の位置から供給することができ、更に、ゲート部分全体が光学面から十分に離れた配置となる。これにより、光学特性の優れたレンズを成形することができる。
【００１３】
（３）  前記ゲートがホットランナーである上記（２）記載のレンズ用成形金型。
【００１４】
上記構成のレンズ用成形金型によれば、ゲートがホットランナーであるので、コールドランナーでの成形と比較して、製品以外の部分（スプール、ランナーなど）で使用される樹脂量を大幅に削減することができる。これにより、高価な樹脂材料の無駄をなくしてレンズを安価に提供することができる。
さらに、ホットランナーノズルが型開閉方向に配置されるため容易に多数個取り金型を作ることが出来る。
【００１５】
（４）  前記ホットランナーが外部加熱方式である上記（３）記載のレンズ用成形金型。
【００１６】
このように外部加熱型のホットランナーにすると、ホットランナー内の樹脂滞留が少なくなるため、樹脂の劣化(着色・ヤケの発生)を防ぐことが出来る。
【００１７】
（５）  前記可動側金型のレンズフランジ部成形面の面積が前記固定側金型のレンズフランジ部成形面の面積より大きい上記（１）から（４）のいずれか１項記載のレンズ用成形金型。
【００１８】
上記構成のレンズ用成形金型によれば、可動側金型のレンズフランジ部成形面の面積が固定側より大きいので、金型の離型時に製品であるレンズを常に可動側金型に付けた状態とすることで、製品の取り込みを常に可動側でできる。
【００１９】
（６）  前記可動側金型のレンズフランジ部成形面に少なくとも１つ以上の凹部が備えられ、前記凹部はＰＬ（パーティングライン）面に面し、かつ前記２つのスライドコアとは非接触配置である上記（１）〜（５）のいずれか１項記載のレンズ用成形金型。
【００２０】
上記構成のレンズ用成形金型によれば、可動側金型の側部平面用成形面に凹部を備えるので、可動側金型の凹部に樹脂が供給されて側部平面に凸部を有するレンズが形成される。該凸部は、型開きしたとき凹部と嵌合した状態であり、固定側金型に比べて可動側金型によるレンズ保持力が強くなっている。従って、成形後の型開き時に、レンズを安定して可動側金型の所定の位置に保持しておくことができる。また、可動側金型のレンズフランジ部成形面に設けた凹部がＰＬ面に面することで、容易にレンズを成形金型から取り出すことができる。このように、この凹部があることで、製品が２つの可動側スライドのいずれにも持って行かれることがなく、可動側フランジ部に残すことが出来る。
【００２１】
（７）  ＰＬ面との接触範囲で前記可動側金型のレンズフランジ部成形面が光軸に略平行で対向する二つの可動側平面部からなる上記（１）〜（６）のいずれか１項記載のレンズ用成形金型。
【００２２】
（８）  前記固定側金型のレンズフランジ部成形面が前記可動側金型のレンズフランジ部成形面の平面部に略平行に繋がる固定側平面部を備える上記（７）記載のレンズ用成形金型。
【００２３】
上記構成のレンズ用成形金型によれば、レンズフランジ部成形面が、レンズの光学軸に平行で対向する二つの可動側平面部及び固定側平面部を備えるので、レンズフランジ部に側部平面を形成することとなり、溶融樹脂を射出して型開きした後、該側部平面をロボットアームなどで安定して挟持して容易にレンズをレンズ用成形金型から取り出すことができる。更に、ＰＬ面で生じるバリが仮想円外に生じることを防ぐこともできる。
【００２４】
（９）  前記凹部が前記可動側平面部の少なくとも一方にあり、かつ、前記凹部の底面は可動側金型のレンズフランジ部成形面の曲面部を光軸方向から見た際の仮想円より内側に配置される上記（７）記載のレンズ用成形金型。
【００２５】
（１０）  前記ゲート部近傍のレンズフランジ部成形面が、前記レンズの光学軸と略平行な平面成形面である上記（２）〜（９）のいずれか１項記載のレンズ用成形金型。
【００２６】
（１１）  前記ゲートが配置された平面部が、固定側金型のレンズフランジ部成形面の曲面部を光軸方向から見た際の仮想円より内部に配置される上記（１０）に記載のレンズ用成形金型。
上記構成のレンズ用成形金型によれば、レンズフランジ部の円弧部を連続させた仮想円内にゲート跡を納めることができるので、成形されたレンズを複数枚重ねて製品化する場合など、ゲート跡が円筒状の鏡筒に干渉することなくレンズを重ね合わせて組み込むことができる。
【００２７】
（１２）  上記（１）から（１１）記載のレンズ用成形金型により成形されるプラスチックレンズであって、
レンズ面周囲に配置されるレンズフランジ部と、
前記レンズフランジ部に１つ以上の凸部と、を有するプラスチックレンズ。
【００２８】
上記構成のプラスチックレンズによれば、レンズ面周囲に配置されるレンズフランジ部に設けられた側部平面に凸部が配置されたので、該凸部をレンズフランジ部の円弧部を連続させた仮想円内に納めることができ、成形されたレンズを円筒状の鏡筒に干渉なく嵌合させて組み込むことができる。
【発明の効果】
【００２９】
本発明によれば、品種切換えが容易であり、且つ樹脂の使用効率が高く、光学特性の優れたレンズを低コストで製作することができるレンズ用成形金型およびプラスチックレンズを提供できる。
【発明を実施するための最良の形態】
【００３０】
以下、本発明に係るレンズ用成形金型および該成形金型で成形されるプラスチックレンズについて図面に基づいて詳細に説明する。
【００３１】
図１は本発明のレンズ用成形金型により成形されるプラスチックレンズの外観斜視図、図２は開いた状態におけるレンズ用成形金型をレンズ用離形空間の中心を通る面で縦に切断して示す斜視図、図３は図２に示す型開き状態におけるレンズ用成形金型の縦断面図、図４は半閉じ状態におけるレンズ用成形金型の縦断面図、図５は型が完全に閉じて溶融樹脂の射出直前状態のレンズ用成形金型の縦断面図、図６は図５におけるＶＩ−ＶＩ矢視縦断面図、図７はレンズ成形後の金型が開いた状態におけるレンズ用成形金型を縦に切断して示す斜視図である。
【００３２】
先ず、プラスチックレンズについて説明する。図１に示すように、プラスチックレンズ１は、向かい合う２面で光学面２を形成する略円盤状のレンズ部３と、レンズ部３の周囲に配置される略リング状のレンズフランジ部４と、を備える。
【００３３】
レンズフランジ部４は、レンズ部３の光学軸を挟んで対向配置された（図１において左右）一対の側部平面５と、側部平面５と直角方向に配置された（図１において上方）ゲート側平面６とを有する。一対の側部平面５およびゲート側平面６は、レンズ部３の光学軸に平行で光学面２に干渉しない位置に配設されている。
【００３４】
一対の側部平面５の少なくとも一方には、略矩形の凸部７が配置されている。凸部７は、レンズフランジ部４の外周面４ｂの円弧部を連続させた仮想円ＶＣ内に納まる高さとなっている。プラスチックレンズ１全体をこのような仮想円ＶＣ内に納めることによって、成形されたレンズを複数組み合わせる場合に、回転方向の位置決めが不要で、円筒状の鏡筒に干渉なく嵌合させて組み込むことができる。また、ゲート側平面６には、プラスチックレンズ１を射出成形するためのゲート（後に詳述する）が設けられている。
【００３５】
図２から図５に示すように、このようなプラスチックレンズ１を射出成形するためレンズ用成形金型１０は、固定側金型１１、及び可動側金型１２を備える。固定側金型１１は射出成形機（図示せず）の機枠に固定されており、可動側金型１２は射出成形機の油圧装置などの駆動機構によって駆動されて固定側金型１１に接近または離間する方向に移動自在に配設されている。
【００３６】
可動側金型１２は、可動側型板１３と、可動基台１３上に対向配設された一対のスライドコア１４と、一対のスライドコア１４それぞれに保持されて対向配置された一対のレンズ面成形駒１５と、可動基台１３に固定されて一対の形状部１５の中間に配置された可動側フランジ形成駒１６とを備える。
【００３７】
一対のスライドコア１４は、可動基台１３上で型開き方向と直角方向に移動可能とされており、夫々の外側面には、固定側金型１１方向に向かうに従って次第に中心に向かって傾斜する金型案内用斜面１４ａが形成されている。
【００３８】
一対の形状部１５は、略円筒形状の部材であり互いに対向する先端には、小径部１５ａが突出して形成されている。小径部１５ａの端面は、プラスチックレンズ１の光学面２を形成する部分であり、球面または非球面レンズ用の曲面となっており、その表面は鏡面仕上げ加工が施されている。これにより、成形されるプラスチックレンズ１の光学面２の面粗度は、極めて小さくなる。形状部１５の外周部１５ｃと小径部１５ａとの段部側壁１５ｂは、プラスチックレンズ１のレンズフランジ部４の平面部４ａを形成するための形成面となる。
【００３９】
可動側フランジ形成駒１６は、プラスチックレンズ１のレンズフランジ部４の外周面４ｂの半周部分（図１において下半分）を形成するためのものであり、略半円筒形状のレンズフランジ部成形面１７が形成されている。レンズフランジ部成形面１７には、形状部１５の外周部１５ｃ（下半周部）が隙間なく且つ摺動自在に嵌合する。レンズフランジ部成形面１７には、レンズ側部平面５を成形するための平面状の可動側平面１８が光軸を中心として対向して形成されている。可動側平面１８には、更に凹部１９が形成されている。
【００４０】
固定側金型１１には、スライドコア１４の厚さと同じ幅を有し、下方（可動側金型方向）が開放されたスライドコア室２０が形成されている。スライドコア室２０の側壁には、スライドコア１４の金型案内用斜面１４ａと同じ傾斜を有する金型案内用斜面２１が形成されている。そして、型締めされるとき、スライドコア１４の金型案内用斜面１４ａとスライドコア室２０の金型案内用斜面２１とが摺接する。
【００４１】
スライドコア室２０の中央には、固定側フランジ形成駒２２が固定されている。固定側フランジ形成駒２２は、プラスチックレンズ１のレンズフランジ部４の外周面４ｂの半周部分（図１において上半分）を形成するためのものであり、略半円筒形状のレンズフランジ部成形面２３が形成されている。レンズフランジ部成形面２３は、金型１０が閉じたとき形状部１５の外周部１５ｃ（上半周部）に隙間なく嵌合する。
【００４２】
レンズフランジ部成形面２３の対向する面には、レンズ側部平面５の上半分（図１参照）を成形するための平面状の固定側平面２４が形成されている。また、略半円筒形状のレンズフランジ部成形面２３の上部には、プラスチックレンズ１のゲート側平面６を形成するための平面成形面２６が設けられている。
【００４３】
平面成形面２６の略中央に設けられた溶融樹脂吐出口には、外部加熱形のホットランナー２５のバルブゲートが接続されている。
【００４４】
このように構成されたレンズ用成形金型１０は、図４に示すように、可動側金型１２が矢印Ａ方向に移動して固定側金型１１に接近すると、スライドコア室２０にスライドコア１４の先端が進入し、スライドコア室２０の金型案内用斜面２１によってスライドコア１４の金型案内用斜面１４ａが押圧されて、一対のスライドコア１４が矢印Ｂ方向に移動して互いに接近する。
【００４５】
図５および図６に示すように、固定側金型１１の下面と、可動基台１３の上面とが当接して金型１０の型締めが完了すると、可動側フランジ形成駒１６、固定側フランジ形成駒２２、および一対の形状部１５によってプラスチックレンズ１を成形するための（離型空間である）キャビティ２７が金型１０内部に形成される。
【００４６】
詳細には、可動側フランジ形成駒１６のレンズフランジ部成形面１７および固定側フランジ形成駒２２のレンズフランジ部成形面２３によってプラスチックレンズ１のレンズフランジ部４の外周面４ｂを形成するための形成面が、また、一対の形状部１５の小径部１５ａと段部側壁１５ｂとによってプラスチックレンズ１のレンズフランジ部４の平面部４ａおよび光学面２を形成するための形成面が形成される。
【００４７】
レンズ用成形金型１０が閉じられた状態で、ホットランナー２５のバルブゲートを開き、ポリカーボネート樹脂やアクリル樹脂などの透明光学材料が溶融した樹脂をキャビティ２７内に射出する。キャビティ２７内の溶融樹脂の温度がガラス遷移点以下に冷却した後、図７に示すように、可動側金型１２を矢印Ｃ方向に移動させると、一対のスライドコア１４が矢印Ｄ方向に互いに離間する方向に移動してレンズ用成形金型１０が開く。
【００４８】
レンズ用成形金型１０の開動作初期において、一対のスライドコア１４が矢印Ｄ方向に移動する速度より、可動側金型１２が矢印Ｃ方向に移動する速度の方が速いので、形状部１５の小径部１５ａがプラスチックレンズ１のレンズフランジ部４から抜け出す前に、ホットランナー２５のバルブゲートがプラスチックレンズ１のゲート側平面６から離間する。これにより、ゲート部が切断される。
【００４９】
また、図７に示すように、型開き時にもプラスチックレンズ１の凸部７が可動側フランジ形成駒１６の凹部１９に嵌合しているので、プラスチックレンズ１は固定側金型１１に比べて可動側金型１２により強固に保持される結果となっている。これにより、プラスチックレンズ１は、所定の位置に安定して保持された状態で可動側金型１２に残って型開きが行われる。尚、凹部１９は可動側フランジ形成駒１６だけに設けられているので、型開き時に凸部７が可動側金型１２だけに付着し、プラスチックレンズ１が安定して可動側金型１２に残る。即ち、図１に示すように、凸部７の上面が固定側金型１１と可動側金型１２とのパーティングラインＰＬとなり、可動側金型１２からの取り出しを容易にする。
【００５０】
ここで、固定側金型１１には固定側平面２４が、可動側金型１２には同じ平面を形成する可動側平面１８があり、成形されたプラスチックレンズ１には一対の側部平面５が成形され、ロボットアームなどでこの側部平面５を挟持して自動的にレンズ用成形金型１０から取り出される。そして、必要に応じて複数枚レンズを使用する製品では、円筒形の鏡筒（図示せず）に挿入されてレンズユニットとして組み付けられる。このとき、ゲート側平面６に残るゲート跡および凸部７は、レンズフランジ部４の外周面４ｂの円弧部を連続させた仮想円ＶＣ内にあるので、ゲート跡や凸部７が鏡筒に干渉することなく嵌合する。
【００５１】
本実施形態のレンズ用成形金型１０によれば、レンズフランジ部成形面１７、２３を有する固定側金型１１及び可動側金型１２と、一対のスライドコア１４とを備え、該一対のスライドコア１４によってレンズ１の向かい合う光学面２を成形するための形状部１５を保持するようにしたので、レンズ用成形金型１０を成形機から下ろすことなく、形状部１５のみを交換するだけで仕様の異なるレンズ１を成形することができ、レンズ１の品種交換に容易に対応することができる。これにより、多品種少量のレンズ１の生産性を大幅に向上させることができる。
【００５２】
また、固定側金型１１のフランジ部成形面２３にゲートを有するので、溶融樹脂をレンズ１の光学面２以外の位置から供給することができる。これにより、光学特性の優れたレンズ１を成形することができる。
【００５３】
更に、ゲートがホットランナー２５であるので、コールドランナーでの成形と比較して、製品以外の部分（スプール、ランナーなど）で使用される樹脂量を大幅に削減することができる。また、ホットランナーを外部加熱方式とすることで均質かつ更に使用樹脂量を少なくできる。これにより、高価な樹脂材料の無駄をなくしてレンズ１を安価に提供することができる。
【００５４】
また、レンズフランジ部成形面１７、２３がレンズ１の光学軸に平行でレンズ側部平面用の固定側平面２４、可動側平面１８を備えるので、レンズフランジ部４に側部平面５を形成することができ、溶融樹脂を射出して型開きした後、該側部平面５をロボットアームなどで安定して挟持して容易にレンズ１をレンズ用成形金型１０から取り出すことができる。
【００５５】
なお、実施形態では、可動側金型１６のレンズフランジ部成形面１７と固定側金型１１のレンズフランジ部成形面２３とは、ほぼ同じ面積であるが、可動側金型１６のレンズフランジ部成形面１７の面積を大きくすることで、成形後のレンズ１を可動側金型１６に残すことができる。その例として、本実施形態の凹部１９が備えられている。
【００５６】
図８には、成形後のレンズ１を可動側金型１６に残すための金型の他の構成が示されている。
図８（ａ）は、可動側平面の面積を大きくする概略図、図８（ｂ）は、凹部のみを備える概略図である。
図８（ａ）に示すように、端的には可動側平面１８ａのみを延長して残すことで、可動側金型１６のレンズフランジ部成形面を大きくし、成形後のレンズ１を可動側金型１６に残す。図８（ｂ）では、固定側平面２４、可動側平面１８を廃した形態を示しており、可動側金型１６に備えられた凹部により成形後のレンズ１が可動側金型１６に保持される。
【００５７】
更にまた、側部平面用成形面２６にゲートが配置され、可動側金型１２にレンズ１の光学軸に平行で光学面２に干渉しないレンズ側部平面用成形面１８、２４が設けられているので、レンズフランジ部４の外周面４ｂの円弧部を連続させた仮想円ＶＣ内にゲート跡や凸部７を納めることができる。これにより、成形されたレンズ１は、ゲート跡や凸部７が円筒状の鏡筒に干渉することなく嵌合して組み込まれる。
【００５８】
また、可動側金型１２の側部平面用成形面１８に凹部１９を備えるので、可動側金型１２の凹部１９に樹脂が供給されて該凹部１９と嵌合する凸部７がレンズ１に形成される。従って、成形後の型開き時に、固定側金型１１に比べてレンズ１を安定して可動側金型１２に保持しておくことができる。これにより、ロボットアームなどによって自動的、且つ容易にレンズ１を成形金型１０から取り出すことができる。
【００５９】
更に本実施形態のプラスチックレンズ１によれば、レンズ面周囲に配置されるレンズフランジ部４に設けられた側部平面５に凸部７が配置されたので、該凸部７をレンズフランジ部４の外周面４ｂの円弧部を連続させた仮想円ＶＣ内に納めることができ、成形されたレンズ１を円筒状の鏡筒に干渉なく嵌合させて組み込むことができる。
【００６０】
尚、本発明は、前述した実施形態に限定されるものではなく、例えば、スライドコア１４は斜面において固定側金型１１にスライド可能に保持される構成とすることもできるなど、適宜、変形、改良、等が可能である。
【図面の簡単な説明】
【００６１】
【図１】本発明のレンズ用成形金型により成形されるプラスチックレンズの外観斜視図である。
【図２】開いた状態におけるレンズ用成形金型をレンズ用離形空間の中心を通る面で縦に切断して示す斜視図である。
【図３】図２に示す型開き状態におけるレンズ用成形金型の縦断面図である。
【図４】半閉じ状態におけるレンズ用成形金型の縦断面図である。
【図５】金型が完全に閉じて溶融樹脂の射出直前状態のレンズ用成形金型の縦断面図である。
【図６】図５におけるＶＩ−ＶＩ矢視縦断面図である。
【図７】レンズが成形されて金型が開いた状態におけるレンズ用成形金型を縦に切断して示す斜視図である。
【図８】（ａ）は、可動側平面の面積を大きくする概略図、（ｂ）は、凹部のみを備える概略図である。
【符号の説明】
【００６２】
１         プラスチックレンズ
２         光学面
４         レンズフランジ部
５         レンズ側部平面
６         ゲート側平面
７         凸部
１０       レンズ用成形金型
１１       固定側金型
１２       可動側金型
１４       スライドコア
１４ａ     金型案内用斜面
１５       形状部
１７       レンズフランジ部成形面
１８       可動側平面
１９       凹部
２１       金型案内用斜面
２３       レンズフランジ部成形面
２４       固定側平面
２５       ホットランナー
２６       平面成形面（レンズ側部平面用成形面）
２７       キャビティ（レンズ用離形空間）
【図１】
2008230004.tif 000003
【図２】
2008230004.tif 000004
【図３】
2008230004.tif 000005
【図４】
2008230004.tif 000006
【図５】
2008230004.tif 000007
【図６】
2008230004.tif 000008
【図７】
2008230004.tif 000009
【図８】
2008230004.tif 000010